(57)【特許請求の範囲】
【請求項１】
完成容器をブロー成形的に製造するための装置内で、複数のプリフォーム（１）を搬送するための搬送システム（４２）にして、前記搬送システム（４２）が搬送チェーンを含んでおり、当該搬送チェーンのチェーンリンクは、前記プリフォーム（１）を搬送するための１つの支持要素（４４）を有しており、その際前記支持要素（４４）はシャフト部（４６）及びヘッド部（４８）を含み、前記ヘッド部（４６）は前記プリフォーム（１）の開口部分内へ挿入可能なヘッド端部領域（５０）を有している搬送システム（４２）において、
前記ヘッド部（４８）が前記シャフト部（４６）にて保持されており、また、第１の操作要素（９２）の操作によって前記シャフト部（４６）から取り外し可能であり、その際、前記第１の操作要素（９２）は、前記ヘッド部（４８）に対して反対側にある前記シャフト部（４６）の端部領域（９４）に配設されていること、
を特徴とする搬送システム（４２）。
【請求項２】
請求項１に記載の搬送システム（４２）において、
前記ヘッド部（４８）が１つのシャフト部バネ（８０）の復元力を用いて前記シャフト部（４６）に保持されていること、
を特徴とする搬送システム（４２）。
【請求項３】
請求項１又は２に記載の搬送システム（４２）において、
前記シャフト部（４６）が、前記ヘッド部（４８）の開口部分（９６）内へ挿入可能なシャフト端部領域（５２）に、位置決め可能で丸く形成された少なくとも２つのシャフトクランプ要素（５４）を有しており、当該シャフトクランプ要素（５４）が、前記シャフト端部領域（５２）の外周面に沿って互いに間隔をおいて配置されており、また、前記第１の操作要素（９２）の操作によって前記支持要素（４４）の長手軸から半径方向で変位可能であること、
を特徴とする搬送システム（４２）。
【請求項４】
請求項１から３の何れか一項に記載の搬送システム（４２）において、
複数のシャフトクランプ要素（５４）の少なくとも１つが、前記支持要素（４４）の長手軸（９０）に関して側方で前記シャフト部（４６）に配置された凹部（６０）内に位置決めされており、その際、前記凹部（６０）が前記長手軸（９０）に対して傾斜して延び、シャフトクランプ要素（５４）に対して作用を及ぼすための、前記上部スライド面（６６）及び下部スライド面（６８）を有しており、またその際、前記シャフト部（４６）は前記上部スライド面（６６）を備えるシャフト端部領域上部（７４）及び前記下部スライド面（６８）を備えるシャフト部内部材（７６）を有し、またその際前記シャフト端部領域上部（７４）及び前記シャフト部内部材（７６）は前記シャフト部内部材（７６）へ作用を及ぼす少なくとも１つのシャフト部バネ（８０）によって互いに相対的にテンションをかけて固定されていること、
を特徴とする搬送システム（４２）。
【請求項５】
請求項１から４の何れか一項に記載の搬送システム（４２）において、
前記プリフォーム（１）が第２の操作要素（９８）の操作によって前記ヘッド部（４８）から分離可能であり、その際、前記第２の操作要素（９８）は、前記ヘッド部（４８）の反対側の前記シャフト部（４６）の端部領域に配設されていること、及び／又は、前記第１の操作要素（９２）によって操作可能であること、
を特徴とする搬送システム（４２）。
【請求項６】
請求項１から５の何れか一項に記載の搬送システム（４２）において、
前記プリフォーム（１）が１つのヘッド部バネ（７８）の復元力を用いて前記ヘッド部（４８）に保持されていること、
を特徴とする搬送システム（４２）。
【請求項７】
請求項１から６の何れか一項に記載の搬送システム（４２）において、
前記ヘッド部（４８）が前記プリフォーム（１）の開口部分（２１）内へ挿入可能なヘッド端部領域（５０）に、位置決め可能で丸く形成された少なくとも２つのヘッドクランプ要素（５６）を有しており、当該ヘッドクランプ要素（５６）が、前記ヘッド端部領域（５０）の外周面に沿って互いに間隔をおいて配置されており、また、第２の操作要素（９８）の操作によって前記支持要素（４４）の長手軸から半径方向で変位可能であること、
を特徴とする搬送システム（４２）。
【請求項８】
請求項１から７の何れか一項に記載の搬送システム（４２）において、
複数のヘッドクランプ要素（５６）のうち少なくとも１つが、前記支持要素（４４）の長手軸（９０）に関して側方で前記ヘッド部（４８）に配置されている凹部（５８）内に位置決めされており、その際、前記凹部（５８）が、前記長手軸（９０）に対して傾斜して延びる前記ヘッドクランプ要素（５６）に作用を及ぼすための上部スライド面（６２）及び下部スライド面（６４）、を有しており、また、前記ヘッド部（４８）は前記上部スライド面（６２）を備えるヘッド上部（７０）及び前記下部スライド面（６４）を備えるヘッド部内部材（７２）を有しており、また、前記ヘッド上部（７０）及び前記ヘッド部内部材（７２）は、前記ヘッド部内部材（７２）へ作用を及ぼす少なくとも１つのヘッド部バネによって、互いに相対的にテンションをかけて固定されていること、
を特徴とする搬送システム（４２）。
【請求項９】
請求項１から８の何れか一項に記載の搬送システム（４２）において、
シャフト部内部材（７６）がシャフト棒体（８６）及び前記シャフト棒体（８６）を少なくとも一部の領域で取り囲むシャフト内パイプ（８８）を含むこと、
を特徴とする搬送システム（４２）。
【請求項１０】
複数のプリフォーム（１）から完成容器をブロー成形的に製造するための装置にして、
搬送区間に沿って前記プリフォーム（１）を熱的に調整するための少なくとも１つの加熱装置、及び、熱的に調整された前記プリフォーム（１）を完成容器へと変形させるための少なくとも１つの変形装置、を備える装置において、
前記装置が、請求項１から９の何れか一項に記載の搬送システム（４２）を、プリフォームを搬送するために少なくとも１つ有していること、
を特徴とする装置。
【請求項１１】
請求項１０に記載の装置において、
プリフォーム（１）が熱可塑性材料製であること、
を特徴とする装置。
【請求項１２】
請求項１０又は１１に記載の装置において、
前記搬送システム（４２）が前記加熱装置の領域内に配設されていること、
を特徴とする装置。
【請求項１３】
請求項１から９の何れか一項に記載の搬送システム（４２）の使用方法において、
複数のプリフォーム（１）から完成容器をブロー成形的に製造するための装置にして、搬送区間に沿って前記プリフォーム（１）を熱的に調整するための少なくとも１つの加熱装置、及び、熱的に調整された前記プリフォーム（１）を完成容器へと変形させるための少なくとも１つの変形装置、を備える装置内で、前記搬送システム（４２）が使用されること、
を特徴とする使用方法。
【請求項１４】
請求項１３に記載の使用方法において、
プリフォーム（１）が熱可塑性材料製であること、
を特徴とする使用方法。
【請求項１５】
請求項１３又は１４に記載の使用方法において、
前記加熱装置の領域内で前記搬送システム（４２）が使用されること、
を特徴とする使用方法。
【発明の詳細な説明】
【技術分野】
【０００１】
本発明は完成容器をブロー成形的に製造するための装置内で、複数のプリフォームを搬送するための搬送システムに関しており、当該搬送システムは搬送チェーンを含んでおり、搬送チェーンの１つのチェーンリンクは、１つの支持要素及び１つの搬送要素を含んでいる。本発明は更に、プリフォームから完成容器をブロー成形的に製造するための装置、並びに、搬送システムの使用、及び搬送システムの少なくとも１つの支持要素を交換するための方法に関するものである。
【背景技術】
【０００２】
液状の食料品及び飲料を包装するためには通常、例えばガラスやプラスチック製のボトルといった容器が用いられる、当該容器は１つの製造プロ節において異なる装置にて製造され、また引き続き別の装置にて充填される。この場合例えば、ブロー装置内でのプラスチック製の容器の製造が挙げられる。ブロー圧作用によって容器を形成する際には、熱可塑性の材料からなるプリフォーム、例えばＰＥＴ（ポリエチレンテレフタレート）製のプリフォームが、ブロー機械内で複数の異なる加工ステーション（処理ステーション）に供給される。そのようなブロー機械は通常、加熱装置並びにブロー装置を有しており、それらの領域では予め調温されたプリフォームが２軸配向によって容器へと拡張される。拡張は圧縮空気を用いて、また場合によっては追加の延伸部を用いて行われ、当該圧縮空気は拡張されるべきプリフォーム内へ導入される。プリフォームをそのように拡張させる際のプロセス工学的な経過は、例えば特許文献１にて詳細に説明されている。圧力下で生じるガスの導入は、拡張中の容器の膨れ内への圧力ガス導入並びにブロー工程を開始するためのプリフォーム内への圧力ガス導入も含んでいる。容器を成形するためのブローステーションの基本的な構成は特許文献２に記載されている。プリフォームを調温するための可能性は特許文献３に詳述されている。
【０００３】
製造及び充填プロセス中は、容器を搬送すること、及び個別のプロセスステップの間に１つのステーションから別のステーションへ受け渡すことが必要となる。ブロー成形のための装置内部では、プリフォーム並びにブローされた容器が、異なる取り扱い装置を用いて搬送され得る。特にはプリフォームへ嵌められる搬送ロッド（搬送マンドレル）を用いることが有効であることが示された。
【０００４】
プリフォーム及び容器を搬送するための搬送ロッドを備えた装置の例は、特許文献４から知られている。ブロー装置は、回転性のブローホイール上に配設された、プリフォームを完成容器へと変形させるための複数のブローステーション、並びに、プリフォームを保持及び搬送するための保持装置、を含んでいる。特許文献４に示されている保持装置は、プリフォームの開口部分内へ挿入可能なそのヘッド部の領域に、複数の、すなわち少なくとも２つの位置決め可能なクランプ要素を有しており、当該クランプ要素は少なくとも一部の領域で丸みを付けて形成されており、また、当該クランプ要素はヘッド部の外周部に沿って互いに間隔をおいて配置されている。即ち当該クランプ要素は互いに周囲方向に間隔をおいて配置されている。複数のクランプ要素のうちの少なくとも１つは、保持装置の長手軸に関して側方でヘッド部に配された凹部内に位置決めされており、その際、凹部は、クランプ要素に作用を及ぼすためのスライド面にして、長手軸に対して傾斜して延びる上部スライド面及び下部スライド面を有している。また、ヘッド部は、下部スライド面を備えたヘッド下部部材及び上部スライド面を備えたヘッド上部部材を有している。その際プリフォームはその開口部分の領域に実質的に円筒状の内部表面を形成している。プリフォームを搬送するための適したその他のクランプ要素は、例えば特許文献５及び特許文献６に記載されている。
【０００５】
プリフォームを搬送するために用いられる搬送ロッドは、例えば完成容器をブロー成形するためのプリフォームを別の種類のプリフォームへ切り替えるため、又は、損傷した部品又は汚染された部品を交換するために、定期的に交換されなければならない。搬送ロッドの交換は、比較的コスト高でありまた手動で実行されなければならない。搬送ロッドを取り替えるために必要な作業コストを減少させるために、プリフォームのための機械的に交換可能な搬送ロッドを備えた安定的な搬送システムにして、プリフォームを安定的に保持するにもかかわらず搬送ロッドの迅速な交換を可能とする搬送システムが望まれる。
【先行技術文献】
【特許文献】
【０００６】
【特許文献１】ＤＥ−ＯＳ  ４３  ４０  ２９１
【特許文献２】ＤＥ−ＯＳ  ４２  １２  ５８３
【特許文献３】ＤＥ−ＯＳ  ２３  ５２  ９２６
【特許文献４】ＥＰ  ２  ７５３  ４６５  Ａ１
【特許文献５】ＤＥ  １０  ２００５  ０１１  ８０５  Ａ１
【特許文献６】ＤＥ  １０  ２００８  ０２３  ７０１  Ａ１
【発明の概要】
【発明が解決しようとする課題】
【０００７】
本発明の課題は従って、搬送速度が高速である場合においてプリフォームの信頼性高い搬送が支援されまた更に搬送ロッドの迅速な交換可能性が保証されているように、冒頭に挙げた種類の装置を構成することである。
【課題を解決するための手段】
【０００８】
この課題は、本発明に従い、本願では搬送要素と称される搬送ロッドが２つの部分から形成されており、プリフォームが搬送ロッドのヘッド部に取り外し可能に保持され、また、搬送ロッドのヘッド部が搬送ロッドのシャフト部に取り外し可能に保持されることによって、解決される。その際、ヘッド部に向かい合うシャフト部の端部に配置されている機構を操作することで、ヘッド部をシャフト部から取り外すことが出来る。この場合、搬送ロッドのヘッド部でのプリフォームの取り外し可能な保持も、また同様に、搬送ロッドのシャフト部でのヘッド部の取り外し可能な保持も、クランプ要素によって又はその他の様態で行うことが出来る。
【０００９】
本発明に従う複数の搬送要素は、使用されるヘッド部を迅速にまた確実に交換可能である、という長所を有している。ヘッド部はシャフト部の別の端部から取り外され得るので、ヘッド部を手動のみならず、単純に自動化して取り外すことが出来る。この様態では、ヘッド部を交換することによって、搬送システムを異なる部類のプリフォームに迅速に適合させることが出来る、例えば、異なる開口径を有するプリフォームに迅速に適合させることが出来る。固定手段としてクランプ要素を使用する場合には更に格段に信頼性が高くまた素早い保持が提供され、また、それにより高速な搬送速度が支援される。
【００１０】
従って本発明は、第１の観点では、完成容器をブロー成形的に製造するための装置内でプリフォームを搬送するための搬送装置に関するものであり、その際、搬送システムは搬送チェーンを含んでおり、当該搬送チェーンのチェーンリンクはプリフォームを搬送するための支持要素を有し、支持要素はシャフト部及びヘッド部を含み、ヘッド部はプリフォームの開口部分内へ挿入可能なヘッド端部領域を有している。当該搬送装置は、ヘッド部がシャフト部に保持されており、また、第１の操作要素の操作部を用いてシャフト部から取り外し可能であり、その際、第１の操作要素はヘッド部の反対側のシャフト部の端部領域に配置されていること、を特徴としている。プリフォームは第２の操作要素を用いてヘッド部から取り外し可能であり得て、その際、第２の操作要素は、ヘッド部の反対側のシャフト部の端部領域に配置されている、及び／又は、第１の操作要素によって操作可能である。
【００１１】
ヘッド部はその際、シャフト部バネの復元力を用いてシャフト部に保持され得る。このシャフト部バネは、シャフト部内に又はシャフト部に接して配置されている、特にはヘッド部を保持している端部とは反対側に存在するシャフト部の端部領域に配置されている。バネの復元力は特にはシャフト部の長手軸に沿って作用する。類似の様態でヘッド部バネの復元力を用いてプリフォームをヘッド部に保持することが出来る。
【００１２】
従って、本発明に従う課題は、言い換えれば、以下のように解決される、すなわち、ヘッド部及びシャフト部が、ヘッド部の反対側の領域でシャフト部に作用を及ぼす少なくとも1つのバネによって、相対的に互いにテンションをかけて固定されていることによって、そして更に、ヘッド部及びプリフォームが、又は、ヘッド部及び容器が、ヘッド部へ作用を及ぼす少なくとも1つの別のバネによって、相対的に互いにテンションをかけて固定されていることによって、解決される。
【００１３】
シャフト部バネの復元力は例えば複数のクランプ要素に作用することが可能であり、当該クランプ要素はヘッド部をシャフト部に保持することに適している。そのためシャフト部は、ヘッド部の開口部分内へ挿入可能なシャフト部端領域に、位置決め可能で丸めて形成された少なくとも２つのシャフト部クランプ要素を有しており、当該少なくとも２つのシャフト部クランプ要素は、シャフト部端部領域の外周に沿って互いに間隔をおいて配置されており、また、第１の操作要素の操作部を用いて支持要素の長手軸から半径方向へ変位可能である。
【００１４】
ヘッド部バネの復元力は例えば、プリフォームをヘッド部に保持することに適した複数のクランプ要素に作用することが出来る。そのためヘッド部は、プリフォームの開口部分内へ挿入可能なヘッド部領域に、位置決め可能で丸めて形成された少なくとも２つのヘッドクランプ要素を有しており、当該少なくとも２つのヘッドクランプ要素は、ヘッド部領域の外周に沿って互いに間隔をおいて配置されており、また、第２の操作要素の操作部を用いて支持要素の長手軸から半径方向外側へ変位可能である。
【００１５】
複数のクランプ要素は、それぞれ側方で、複数のスライド面を有する凹部内に配設され得て、それらのスライド面ではそれぞれのクランプ要素が（例えばバネの復元力の作用による）力の作用によって、可逆的に外側へ向かって変位され得る。クランプ要素のこのような変位によって、ヘッド部或いはシャフト部の外周は以下のように拡大される、すなわち、プリフォーム或いはヘッド部の内側壁部に対して圧力が作用し、そしてプリフォーム或いはヘッド部が確実に保持されるように、ヘッド部或いはシャフト部の外周が拡大される。
【００１６】
従って、複数のシャフト部クランプ要素のうち少なくとも１つは、支持要素の長手軸に関して側方で、シャフト部に配される凹部内に位置決めされ得て、その際、凹部は長手軸に対して傾斜して延びる、シャフト部クランプ要素に対して作用を及ぼすための上部スライド面及び下部スライド面を有している、また、シャフト部は上部スライド面を備えるシャフト部端部領域上部、及び、下部スライド面を備えるシャフト部内部材を有している、その際、シャフト部端部領域上部及びシャフト部内部材は、シャフト部内部材へ作用を及ぼす少なくとも１つのシャフト部バネによって、相対的に互いにテンションをかけて固定されている。
【００１７】
類似の様態で、複数のヘッドクランプ要素のうちの少なくとも１つは、支持要素の長手軸に関して側方で、ヘッド部に配される凹部内に位置決めされ得て、その際、凹部は長手軸に対して傾斜して延びる、ヘッドクランプ要素に対して作用を及ぼすための上部スライド面及び下部スライド面を有している、また、ヘッド部は上部スライド面を備えるヘッド部上部、及び、下部スライド面を備えるヘッド部内部を有している、その際、ヘッド部上部及びヘッド部内部は、ヘッド部内部へ作用を及ぼす少なくとも１つのヘッド部バネによって、相対的に互いにテンションをかけて固定されている。
【００１８】
特には圧力バネといったバネをヘッド部の反対側のシャフト部の表側（上側）に作用させることによって、ヘッド部の開口部分をシャフト領域へ押し滑らせる際に、シャフトクランプ要素がヘッド部に対して離背する側に存在するシャフト部の端部へ向かう方向で変位されるように及び／又はシャフト部の内部（内側）へ向かう方向で変位されるように、シャフト端部領域の凹部から突出しているシャフトクランプ要素に対して、力が及ぼされる。シャフト部の「内部（内側）」は、本発明に従えば、支持要素の中心軸或いはシャフト部の中心軸の方向にある、すなわち例えば、シャフト部の外周方向からシャフト部の中心軸への方向にある。シャフトクランプ要素は、それに関して、支持要素の長手軸の方向で作用する力をヘッド部へ伝え、また、このヘッド部を作用させられる内圧によって固定的に保持する。本発明の意味での「内圧」は、例えば支持要素の長手軸の方向から支持要素、シャフト部、及び／又は、ヘッド部の外周部の方向へと及ぼされる圧力といった、内側から及ぼされるクランプ圧（緊締圧）である。
【００１９】
特には圧縮バネ（コンプレッションスプリング）といった別のバネを用いてヘッド部へ作用を及ぼすことによって、プリフォーム又は容器の開口部分をヘッド部へ押し滑らせる際に、ヘッド部の凹部から突出している複数のヘッドクランプ要素に対して、これらのヘッドクランプ要素がヘッド部上部へ向かう方向で変位されるように及び／又はヘッド部の内部（内側）の方向で変位されるように、作用が及ぼされる。ヘッド部の「内部（内側）」は、本発明に従えば支持要素の中心軸の方向にある。ヘッドクランプ要素はこの場合、支持要素の長手軸の方向で作用する力をプリフォーム又は容器の開口部分へと伝え、そして、作用を及ぼされる内圧或いはクランプ圧（緊締圧）によってそれを固定的に保持する。
【００２０】
シャフト部がヘッド部の反対側の領域にてバネによって作用を及ぼされるシャフト部バネの配置は、特にはプリフォームの開口部分の外部の領域にバネを位置決めすることを可能にする。これによりバネは、バネを収容するために十分な大きさの領域に配設されており、その結果、バネの使用は、ヘッド部の不必要に複雑な形状をもたらさない。更に、シャフト部バネはプリフォームの加熱時に通常は加熱放射（加熱光線）によって作用を及ぼされない領域に配設される。
【００２１】
ヘッド部内部がその内側でバネによる作用を受けるヘッド部バネの配置は、更に、このバネの空間節約的な収容を可能にする。
【００２２】
従ってこの構造は、1つ又は複数の弾性部品によってシャフトクランプ要素及びヘッドクランプ要素に直接作用を及ぼす場合と比べて、コンパクトで明快な瞭然とした構造に関しても、また同様に堅牢で高品質な機能の提供に関しても、著しい長所を有している。
【００２３】
通常の使用に従えば、ヘッド部のヘッド端部領域は完全にプリフォーム或いは容器の開口部分内へ挿入されている、及び／又は、シャフト部のシャフト端部領域は完全にヘッド部内へ挿入されている。ヘッド部上部はそのヘッド端部とは反対側の延長部の領域においてプリフォームの開口部分から突出している。シャフト部はそのシャフト端部領域とは反対側の延長部の領域においてヘッド部の開口部分から突出している。
【００２４】
従って、ヘッド部は、また、プリフォーム又は容器は、それぞれ片側に開口部分を有している。本発明の意味での開口部は、凹部或いは内側湾曲部である。特には、開口部は実質的にシリンダ状（円筒状）の形状を有している。いずれにせよ開口部は、その対向部材（すなわちシャフト部の端部或いはヘッド端部領域）が当該開口部内へ適合して収まるように、形成されている。特には、開口部内へ対向部材を挿入した後で、対向部材は、開口部によって或いは開口部を取り囲む部品によって、隣接して取り囲まれている。特には、ヘッド部、及び、プリフォーム又は容器は、開口部分の反対側では閉じられている。
【００２５】
搬送要素の長手軸は、好ましくはシャフト部の中心軸である、又は代替的にこの中心軸に対して平行な軸である。
【００２６】
シャフト部内部材はヘッド部内部へ作用を及ぼすための端部面を有している。端部面は平坦であっても、平坦でなくてもよく、また、例えばヘッド部内部に適合する形状を有している。
【００２７】
シャフト部内部材はシャフト部バネを貫通して通過延伸することが出来る。シャフト部バネは特にはシャフト部の突出部にて突っ張っている。これにより、シャフト部をヘッド部に対して相対的に弾性的にテンションをかけて固定することを実現することが出来る。構造的なバリエーションに従って、突出部を段差部によって形成することが考えられる。
【００２８】
ヘッド部バネは特にはヘッド部内部材の内部で延伸している。ヘッド部バネは特にはヘッド部内部材の内部でエンドプレートにて突っ張っている。エンドプレートは、シャフト部内部材の端面と同様に、平面であっても非平面であってもよく、また例えばヘッド部バネに対応して形状を有することも出来る。
【００２９】
シャフト部はシャフト部内部材及びシャフト部内部材を少なくとも部分的に取り囲むパイプ部から形成されており、シャフト部内部材が例えば棒形状又はタペット形状で形成されていること及び／又はシャフト棒体及びそれを少なくとも部分的に取り囲むシャフト内パイプを含んでいることによって、安価な構造が支援される。
【００３０】
シャフト部内部材は１つの実施形態においては、シャフト棒体及びそのシャフト棒体を少なくとも部分的に取り囲むシャフト内パイプを含んでいる。この様態では、ヘッド部を保持するシャフトクランプ要素は、ヘッドクランプ要素から分かれて取り外され得てまた作動セットされ得る。これは、プリフォームが支持要素から取り外された後でのヘッド部のより一層確実な保持という更なる長所を提供する。言い換えれば、例えばタペット形状のシャフト部が、内部に存在する棒体形状或いはタペット形状のシャフト部（シャフト棒体）を備えるパイプ形状のシャフト部（シャフト内パイプ）によって、置き換えられることにより、バネにより予め負荷を掛けられた更なる保持要素を補うことが可能であり、当該更なる保持要素は、力を加えずに（僅かな力で）支持要素によってプリフォームを嵌め合わせること及び引き離すことが出来るように、プリフォームを能動的に緊締及び緩和させる。第２のクランプ要素は、この実施形態においては、シャフト内パイプ内に存在するシャフト棒体にして、タペット形状を有し得るシャフト棒体によって、操作される。シャフト内パイプは従って、シャフトクランプ要素に作用を及ぼすための下部スライド面を有し得る。同様にシャフト棒体は、本発明に従えば、ヘッド部内部材に作用を及ぼすための端面を有し得る。
【００３１】
これに関してシャフトクランプ要素及びヘッドクランプ要素は、それぞれクランプ要素とも称される。クランプ力の有利な伝達は、クランプ要素が球形状で又は少なくとも部分的に円筒状に形成されており、また後者のケースではその支持要素の長手軸の方向を向く端部領域の範囲に先細り部を有することによって達成される。これらのクランプ要素の位置決めのためには、先細り部が円錐台形状（切頭円錐形状）で形成されていることが有利であることが判明した。このケースでは、先細り部が要素長手軸に対する傾斜角度にして、スライド面の傾斜角度に対応する傾斜角度、を有していることによって、平面的な力の伝達を達成することが出来る。しかしながら本発明に従えば、クランプ要素が球形状で形成されていることが特に好ましい。クランプ要素を球形状に形成すること及び複数の個別のクランプ要素を用いることは、弾性変形を必要とすることなく、クランプ要素の半径方向での定義された位置決めを可能にする。クランプ要素はクランプ工程を実行するために半径方向で正確に位置決めされ得る。球形状の輪郭によって、関連するスライド面での容易な滑り出しが促進される。更に、クランプ力はその都度局所に限定されて、プリフォーム又は容器の、或いはヘッド端部領域の開口部分の内部画定部の領域へもたらされ得る。
【００３２】
好ましい実施形態においては、ヘッド部或いはシャフト部はそれぞれ、少なくとも２つのクランプ要素を有している、特には少なくとも４つの、より一層好ましくは少なくとも６つのクランプ要素を有している。複数のクランプ要素はそれぞれ外周に沿って互いに間隔をおいて配設されている。好ましい実施形態においては、外周面の周りに配設されたクランプ要素の間のそれぞれの間隔は等しい。その際クランプ要素は有利な様態では、それぞれが向かい合って存在していてもよい。従って１つの実施形態においては、ヘッド部或いはシャフト部は外周面に沿って偶数個のクランプ要素を有している。
【００３３】
複数の凹部は、好ましくは、対応する部材（ヘッド部及び／又はシャフト部）の外側における複数の切り欠き部として形成されている。部材の外側での凹部の直径は有利には、クランプ要素の最大径よりも、特には球形状のクランプ要素の最大径よりも、より小さいものとなる。この様態では、クランプ要素が凹部から転がり落ちることが防がれる。同時に、部材の外側での凹部の直径は、クランプ要素がその都度の開口部分を固定的にクランプ（緊締）するために部材の中心軸の方向から部材の外周を超え出て動くことが出来ること、を保証するために十分に大きい。
【００３４】
それぞれのクランプ要素へ作用を及ぼすために、凹部は長手軸に対して傾斜した上部スライド面及び下部スライド面を有していてもよい。その場合その都度スライド面の一方が、関連する部材（ヘッド部或いはシャフト部）に形成されており、また他方が関連する可動的な部材（ヘッド部内部材或いはシャフト部内部材）に形成されている。それぞれのスライド面はその際、例えば長手軸に対して、１０°から８０°の角度、特には２０°から７０°の角度、より強く好ましくは３０°から６０°の角度、例えば約４５°の角度、を有していてもよい。
【００３５】
転回工程（向き変え工程）を実行することのないプリフォーム或いは容器の搬送は、複数のプリフォームが、それらの搬送方向の少なくとも一部に沿って、その開口部分で、支持要素によって垂直方向上方へ調整（指向）されて搬送されることによって、援助される。
【００３６】
別の観点では、本発明は以下のような装置に関するものである、つまり、特には熱可塑性材料製のプリフォームといったプリフォームから完成容器をブロー成形するための装置であって、搬送区間に沿ってプリフォームを熱的に調整するための少なくとも１つの加熱装置、及び、熱的に調整されたプリフォームを完成容器へと変形させるための少なくとも１つの変形装置を備えている装置にして、当該装置が、少なくとも１つの本発明に従うプリフォームを搬送するための搬送システムを有しており、その際、搬送システムが少なくとも加熱装置の領域に配設されていることを特徴とする装置に関するものである。
【００３７】
更に別の観点では、本発明は、特には熱可塑性材料製のプリフォームといったプリフォームから完成容器をブロー成形するための装置での、本発明に従う搬送システムの使用に関連しており、当該装置は、搬送区間に沿ってプリフォームを熱的に調整するための少なくとも１つの加熱装置、及び、熱的に調整されたプリフォームを完成容器へと変形させるための少なくとも１つの変形装置を備えており、その際、当該搬送システムは特には加熱装置の領域で使用される。
【００３８】
最後に、本発明は別の観点では、本発明に従う搬送システムの少なくとも１つのヘッド部を交換するための方法にも関連しており、当該方法においては、搬送システムのヘッド部はシャフト部から分離され別のヘッド部によって置き換えられる。
【００３９】
以下の図面に関連し、本発明の実施例に基づいて本発明についてより詳細に説明する。
【図面の簡単な説明】
【００４０】
【図１】プリフォームから容器を製造するためのブローステーションの斜視図を示す。
【図２】その内部でプリフォームが延伸及び膨張されるブロー型の長手断面図を示す。
【図３】容器をブロー成形するための装置の基本的な構造を明確化するための概略図を示す。
【図４】増加された熱容量を有する変更された加熱区間を示す。
【図５】本発明に従う支持要素の３つの垂直断面を示しており、プリフォーム及びヘッド部がシャフト部に保持され（図面左側）、プリフォームは外され及びヘッド部はシャフト部に保持され（図面中央）、また、ヘッド部はプリフォームと共にシャフト部から外されている（図面右側）。
【図６】本発明に従う支持要素の別の実施形態の２つの垂直断面を示しており、プリフォーム及びヘッド部がシャフト部に保持されており、またシャフト内パイプ／シャフトクランプ要素及びシャフト棒体／ヘッドクランプ要素が互いに独立して操作される（図面左側）、また、シャフト棒体によって及ぼされる閾値ストロークを超える場合、シャフト棒体はシャフト内パイプ内へ入り込みそしてそれにより漸次最初にヘッドクランプ要素へ入り込み、また、閾値ストロークを超える場合、シャフトクランプ要素が操作される（図面右側）。
【図７】本発明に従う支持要素の２つの側面図を示しており、プリフォーム及びヘッド部がシャフト部に保持され（図面左側）、また、ヘッド部はプリフォームと共にシャフト部から外されている（図面右側）。
【発明を実施するための形態】
【００４１】
本発明の更なる長所や特徴については、図面を用いた実施例についての以下の詳細な説明において明らかにされる。ただし、本発明はこれらの実施例に限定されるものではない。
【００４２】
プリフォーム１を容器２へと変形するための装置の基本的な構造は、図１及び図２に図示されている。その際の配置は、図示されているように行うか、垂直平面内で１８０°回転させて行うことが出来る。
【００４３】
容器２を形成するための装置は、基本的に、ブローステーション３から構成されており、当該ブローステーション３はその内部へプリフォーム１を入れることが可能なブロー型（ブローモールド）４を備えている。プリフォーム１はポリエチレンテレフタレート製の射出成形部材であり得る。ブロー型４内にプリフォーム１を入れる（セットする）ことを可能にするため、そして、完成した容器２を取り出すことを可能にするために、ブロー型４は、割型５、６及び底部部分（ボトム部）７から構成されており、当該底部部分７はリフト装置８によって位置決め可能である。プリフォーム１はブローステーション３内の領域で保持要素９によって固定されていてもよい。例えば、プリフォーム１を挟持部又はその他の取り扱い手段を介して直接ブロー型４内へ入れることも、可能である。
【００４４】
圧縮空気の供給を可能とするため、ブロー型４の下方には、連結ピストン１０が配設されており、当該連結ピストン１０はプリフォーム１に圧縮空気を供給しまた同時に密閉を担う。構成を変更する場合は、基本的に固定的な圧縮空気供給部を用いることも考えられる。
【００４５】
この実施例においては、プリフォーム１の延伸は、延伸ロッド１１を用いて行われ、当該延伸ロッド１１はシリンダ１２によって位置決めされる。別の実施形態に従えば、延伸ロッド１１の機械的な位置決めは、カーブセグメント（カムセグメント）を介して実行され、当該カーブセグメントはタップローラによる作用を受けている。カーブセグメントを用いることは、特には複数のブローステーション３が回転性の１つのブローホイールに配設されている場合に合目的である。
【００４６】
図１に示されている実施形態においては、延伸システムは、２つのシリンダ１２のタンデム装置が提供されているように、形成されている。延伸ロッド１１は第１シリンダ１３によって先ず、実際の延伸工程が始まる前にプリフォーム１の底部１４の領域まで移動される。実際の延伸工程の間は、第１シリンダ１３は外へ出された延伸ロッドと共に、第１シリンダ１３を支持しているキャリッジ１５と一緒に、第２シリンダ１６によって又はカム制御を介して、位置決めされる。特には、延伸工程を実行する間ガイドレールに沿ってスライドするガイドローラ１７によって最新の延伸位置が設定されるように第２シリンダ１６がカム制御されて調整されることが考えられる。ガイドローラ１７は第２シリンダ１６によってガイドレールに対して押し付けられる。キャリッジ１５は２つのガイド要素１８に沿ってスライドする。
【００４７】
支持体１９、２０の領域に配された割型５、６を閉じた後で、ロック装置４０を用いて互いの支持体１９、２０に対する閉鎖が行われる。
【００４８】
プリフォーム１の開口部分２１の異なる形状に適合させるために、図２に従い、ブロー型４の領域に個別の雄ねじ部２２を使用することが企図されている。
【００４９】
図２は、ブローされた容器に加えて、破線で記載されたプリフォーム１及び概略的に拡大中の容器の膨れ２３を示している。
【００５０】
図３は、加熱区間２４及び回転性のブローホイール２５を備えるブローマシンの基本的な構造を示している。プリフォーム供給部２６から出発して、複数のプリフォーム１が、受け渡しホイール２７、２８、２９によって加熱区間２４の領域へと搬送される。プリフォーム１を調温するために、加熱区間２４に沿ってヒータ３０並びにファン３１が配設されている。プリフォーム１を十分に調温した後で、これらは受け渡しホイール３５によってブローホイール２５に受け渡される。当該ブローホイール２５の領域内には複数のブローステーション３が配設されている。最後までブローされた容器２は、別の受け渡しホイール３７、２８、３８によって搬出区間３２に供給される。受け渡しホイール３７はその際、取り出しホイールとして形成されており、また、受け渡しホイール３８は搬出ホイールとして形成されている。
【００５１】
容器２内へ充填された特には飲料といった食料の長期の有用性を保証するような材料特性を容器２が有するように、プリフォーム１を容器２へと変形出来るようにするためには、複数の特別な方法工程がプリフォーム１の加熱及び配向の際に維持されなければならない。加えて更に、特別な寸法決定工程を守ることによって有利な作用を獲得することが出来る。
【００５２】
熱可塑性の材料としては、異なる複数の合成物質を用いることが出来る。例えばＰＥＴ、ＰＥＮ、又はＰＰが使用可能である。
【００５３】
配向工程の間のプリフォーム１の拡張は、圧縮空気を供給することによって行われる。圧縮空気の供給工程は、プリブローフェーズとそれに続くメインブローフェーズに分けられ、プリブローフェーズでは、例えばプレスエアといったガスが低い圧力レベルで供給され、またメインブローフェーズでは、ガスは高い圧力レベルで供給される。プリブローフェーズ中は通常１０ｂａｒから２５ｂａｒの間の圧力を有する圧縮空気が用いられ、また、メインブローフェーズ中は２５ｂａｒから４０ｂａｒの間の圧力を有する圧縮空気が供給される。
【００５４】
図３からは、図示されている実施形態において加熱区間２４が複数の回転性の搬送要素３３から形成されており、当該搬送要素３３がチェーン状に互いに並んでそして転換ホイール３４、３６に沿って案内されていることも見て取れる。特には、チェーン状に配置することによって、基本的に長方形形状のベース輪郭を張り拡げることが考えられる。図示されている実施形態においては、受け渡しホイール２７に向かう拡張部の領域では比較的大きく寸法決定された単独の転換ホイール３４が用いられており、隣り合う転換部の領域には比較的小さく寸法決定された２つの転換ホイール３６が用いられる。しかしながら基本的には任意のガイド部を想定することが出来る。
【００５５】
受け渡しホイール２７及びブローホイール２５を互いに可能な限り密に配置出来るようにするためには、図示した配置が格別に合目的であることが判明したが、その理由は、加熱区間の対応的な拡張部の領域に３つの転換ホイール３４、３６が位置決めされており、またとりわけ、それぞれ、より小さい転換ホイール３６が加熱区間の直線的な延伸部分への移行部の領域に位置決めされており、また、より大きな転換ホイール３４が受け渡しホイール２７及びブローホール２５に対する直接的な受け渡し領域に位置決めされていることにある。チェーン状の搬送要素３３を用いる代わりに、回転性の加熱ホイールを用いることも可能である。
【００５６】
容器２を最後までブローした後、それらは受け渡しホイール３８によってブローステーション３の領域の外へ出して案内され、搬出区間まで搬送される。
【００５７】
図４に図示されている変形された加熱区間２４内では、より多くのヒータ３０によって、単位時間ごとにより多くのプリフォーム１を調温することが出来る。ファン３１はこの場合冷却空気を複数の冷却空気流路３９内へ導入しており、当該冷却空気流路３９は割り当てられたヒータ３０に対してそれぞれ向かい合っておりまた流出開口部を介して冷却空気を排出する。流出方向の配置により、冷却空気のための流れの方向は基本的にプリフォーム１の搬送方向に対して左右方向で実現される。冷却空気流路３９はヒータ３０に向かい合っている表面の領域に加熱光線に対するリフレクタを準備してもよく、又同様に、排出される冷却空気を介してヒータ３０の冷却をも実現することが可能である。
【００５８】
ブローマシンを通ってのプリフォーム１及び容器２の搬送は、異なる種類及び方法で行うことが出来る。実施バリエーションの１つに従えば、プリフォーム１は少なくともその搬送路の基本的な部分に沿って、搬送ロッド３３によって支持される。しかしながら、外側でプリフォームを掴む挟持部を用いてプリフォームの搬送を実行すること、又は、プリフォームの開口部分内へ装入されるインナーロッドを用いること、も可能である。同様に、プリフォームの空間的な配向に関しては、異なるバリエーションも考えられる。
【００５９】
バリエーションの１つに従えば、プリフォーム１はプリフォーム供給部２６の領域において、その開口部を鉛直方向で上に向けて配向して供給され、その後回転され、加熱区間２４及びブローホイール２５に沿ってその開口部を鉛直方向で下に向けて配向して搬送され、そして搬出区間３２に到達する前に再び回転される。別のバリエーションに従えば、プリフォーム１は加熱区間２４の領域においてその開口部を鉛直方向で下に向けて配向して加熱されるが、ブローホイール２５に到達する前に再度１８０°回転される。
【００６０】
第３のバリエーションに従えば、プリフォーム１はブローマシンの全ての領域を、転回工程を行うことなく、その開口部を鉛直方向で上に向けて通り抜ける。
【００６１】
図５は、プリフォーム１又は容器２の開口部分２１の内部でのヘッド部４８の位置、並びに、ヘッド部４８内部のシャフト部４６或いはシャフト端部領域５２の位置を、３つの長手垂直断面図で示している。
【００６２】
３つの図面（左、中央、右）は、異なる３つの段階での支持要素４４を示しており、その際、（左では）プリフォーム１／容器２及びヘッド部４８はシャフト部４６にて保持され、（中央では）プリフォーム１／容器２は取り外されており、ヘッド部４８はシャフト部４６にて保持され、（右では）ヘッド部４８はプリフォーム１／容器２と共にシャフト部５２から取り外されている。
【００６３】
支持要素４４はそれぞれ１つのシャフト部４６及びヘッド部４８を有しており、その際、ヘッド部４８及びシャフト部４６は左側の図及び中央の図では互いに（分離可能に）接続されている。ヘッド部４８を備えるシャフト部４６は、不図示の部材ベースに対して不図示の部材長手軸の方向で可動的である。通常の実施例に従えば、複数の支持要素４４は、例えば部材ベース上方で、チェーン状に互いに接続され得る、又は、周回性の搬送チェーンを用いて接続され得る。しかしながら支持要素４４は周回性の受け渡しホイール或いはその他の装置に取り付けられていてもよい。
【００６４】
ヘッド部４８は凹部５８を有しており、そこにヘッドクランプ要素５６が配置されている。凹部５８はプリフォーム１の開口部分内に挿入可能なヘッド部領域５０に配置されており、また、それぞれが支持要素４４の長手軸に関して側方でヘッド部４８に配置されている。凹部５８はそれぞれ１つのヘッドクランプ要素５６を抱えており、当該ヘッドクランプ要素５６は図示されている実施例内では丸めて形成されており、また、特には球形状を有している。
【００６５】
図示されているヘッド部４８は６つのヘッドクランプ要素５６を有しており、示されている垂直断面においてはそのうちの２つが視認出来る。複数のヘッドクランプ要素５６は、ヘッド部領域５０の外周に沿って、互いに間隔をおいて配置されている。特にはヘッドクランプ要素５６の間の間隔は統一されている、すなわち、全てのヘッドクランプ要素５６はそれぞれ、隣り合うヘッドクランプ要素５６に対して等しい間隔を有している。
【００６６】
凹部５８は、ヘッドクランプ要素５６に対して作用を及ぼすための長手軸９０に対して傾いて延びる上下のスライド面６２、６４を有している。特にヘッド部４８は、上部スライド面６２を備えるヘッド部上部７０及び下部スライド面６４を備えるヘッド部内部材７２を有している。図示されているように、上部スライド面６２は凹部５８内部のＶ形状の窪みの一部であってもよい。それは、凹部５８内部でヘッドクランプ要素５６を効果的に保持し、そして更に、ヘッドクランプ要素５６の取り外し或いは固定の際に例えば長手方向に対して直角なヘッドクランプ要素５６の変位を可能にする。下部スライド面６４は好ましくはヘッド部内部材７２に配されている。ヘッド部内部材７２は更に好ましくは、長手軸８０に沿ってヘッド部４８の内部で変位可能である。支持要素の端部にして、ヘッド部４８に対して反対側の端部の方向でのこの変位移動によって、下部スライド面６４はヘッドクランプ要素５６との接触状態へもたらされる、及び／又は、ヘッドクランプ要素５６は下部スライド面６４に沿って凹部５８内部で更にヘッド部４８の中心から外側へスライドする。この動きによって、ヘッド部４８に位置決めされた開口部分２１に内圧が作用させられ、その結果、開口部分２１はヘッド部４８に固定的にクランプされる。
【００６７】
図示されている実施例ではヘッド部内部材７２はタペット形状のシャフト部内部材７６によって操作される。シャフト部内部材７６が長手軸９０に沿ってヘッド部内部材７２の方向へ動かされる場合、それに従い、シャフト部内部材７６の端面８２は、圧縮バネとして形成されたヘッド部バネ７８の弾性力に対抗して、ヘッド部内部材７２を押し込む。このヘッド部バネ７８は、ヘッド部上部７０及びヘッド部内部材７２を互いにテンションを掛けて固定している。ヘッド部内部材７２は図示されている例においては鐘形状で形成されている。鐘形状の内側には、ヘッド部バネ７８が配設されている。シャフト部内部材７６を用いたヘッド部内部材７２への十分な圧力によって、下部スライド面６４によってヘッドクランプ要素５６に対して作用される圧力は減少されるか、打ち消され、そして、ヘッドクランプ要素５６はより強くヘッド部４８の内部の方向へ移動する、及び／又は、ヘッドクランプ要素５６によって開口部分２１に及ぼされるクランプ圧は減少する（図５、中央）。開口部分２１に及ぼされる内圧／クランプ圧は、その都度減少されるので、その結果、プリフォーム１或いは容器２は支持要素４４から取り外され得る、又は、落下する。
【００６８】
シャフト部内部材７６は、そのヘッド部４８の反対側（ヘッド部４８から離背する側）にある端部への圧力作用によって、長手軸の方向に操作され得る。同様に別の操作メカニズムも考えられる。シャフト部内部材７６を操作することによって、球形状で形成されたヘッドクランプ要素５６はロック解除される、すなわち外され、またヘッド部内部の方向へ変位される。支持要素４４はこの能動的な操作メカニズムに基づいてアクティブロッドとも称される。
【００６９】
シャフト部４６はヘッド部４８の開口部分内へ挿入可能なシャフト端部領域５２に複数の凹部６０を有しており、当該凹部６０にシャフトクランプ要素５４が配置されていること、が見て取れる。複数の凹部６０はヘッド部４８の開口部分内へ挿入可能なシャフト端部領域５２に配置されており、またそれぞれが支持要素４４の長手軸に関連してシャフト部４６の側方に配置されている。複数の凹部４６はそれぞれ１つのシャフトクランプ要素５４を含み、当該シャフトクランプ要素５４は図示されている実施例においては丸めて形成されており、また好ましくは球形状を有している。
【００７０】
図示されているシャフト部４６は６つのシャフトクランプ要素５４を有している、図示されている垂直断面においては、それらのうちの２つが視認可能である。シャフトクランプ要素５４はシャフト端部領域５２の外周に沿って互いに間隔をおいて配設されている。特には、シャフトクランプ要素５４の間の間隔は統一されている、即ち、全てのシャフトクランプ要素５４のそれぞれは、隣り合うシャフトクランプ要素５４に対して、同一の間隔を有している。
【００７１】
凹部６０は、シャフトクランプ要素５４に作用を及ぼすための、長手軸９０に対して傾いて延伸する上部スライド面６６及び下部スライド面６８を有している。特には、シャフト部４６は、上部スライド面６６を備えられたシャフト端部領域上部７４及び下部スライド面６８を備えられたシャフト部内部材７６を有している。図示されているように、上部スライド面６６は凹部６０内のＶ字形状の窪みの一部であってもよい。それはシャフトクランプ要素５４を凹部６０内で効果的に保持し、そして更に、シャフトクランプ要素５４の取り外し或いは固定の際に、長手軸９０に対して直角に、シャフトクランプ要素５４が変位することを、可能にする。下部スライド面６８は好ましくはシャフト内部７６に配されている。シャフト内部７６は好ましくは、シャフト部４６の内部でシャフトの長手軸９０に沿って変位可能である。支持要素４４の端部にして、ヘッド部に対して反対側の端部の方向でのこの変位移動によって、下部スライド面６８はシャフトクランプ要素５４との接触状態へもたらされる、及び／又は、シャフトクランプ要素５６は下部スライド面６８に沿って凹部６０内部で更にシャフト部４６の中心から外側に向かってスライドする。この動きによって、シャフト部４８に位置決めされたヘッド部４８に、特にはヘッド部上部７０に、内圧が作用され、その結果、ヘッド部４８はシャフト部４６に固定的にクランプされる。
【００７２】
図示されている実施例ではシャフト部内部材７６は、ヘッド部内部材７２と同様に、タペット形状のシャフト部内部材７６によって操作される、即ち、クランプ要素の両方のグループは、同一の操作メカニズムによって、即ち、同一のシャフト部内部材７６によって操作される。シャフト部内部材７６がヘッド部内部材７２の方向へ長手軸９０に沿って動かされる場合、それに従い、下部スライド面６８によりシャフトクランプ要素に作用する圧力は減少又は増加され、また、シャフトクランプ要素５４はシャフト部４６の内部の方向へより一層移動する、及び／又は、シャフトクランプ要素によってヘッド部４８の開口部分へ及ぼされるクランプ圧は低下する（図５右側）。ヘッド部４８の内部へ及ぼされる内圧／クランプ圧が減少されるので、その結果、ヘッド部４８は支持要素４４から取り外され得る、又は、落下する。シャフト部内部材７６を操作することによって、球形状に形成されたシャフトクランプ要素５４はロック解除され、すなわち外され、またシャフト部内部の方向へ変位される。
【００７３】
図６は本発明に従う支持要素４４の別の実施形態を２つの垂直断面で示している。図５に示されている実施形態とは異なり、図６に示されている実施形態においては、シャフト内部パイプ８８（また従ってシャフトクランプ要素５４）及びシャフト棒体８６（また従ってヘッドクランプ要素５６）は互いに独立して操作され得る。独立した操作によって、ヘッドクランプ要素５６が外されまたプリフォーム１或いは容器２がヘッド部４８から取り外された後での、ヘッド部４８の度重なる強い保持が保証される。
【００７４】
この実施形態においては、シャフト部内部材７６はシャフト棒体８６及びシャフト棒体８６を少なくとも一部の領域で取り囲むシャフト内パイプ８８を含んでいる。シャフト棒体８６は図示されている実施形態においてはその都度棒形状或いはタペット形状で形成されている。しかしながら代替的には、シャフト棒体８６は例えば円筒形状を有していてもよい。シャフト棒体８６及びシャフト内パイプ８８はどちらも、シャフト部バネ８０を貫通して延伸している。シャフト棒体８６はヘッド部内部材７２に接続している。その際、シャフト棒体８６とヘッド部内部材７２は、一体的に形成されていてもよいし（図６、左側）、複数部材から形成されていてもよい（図６、右側）。言い換えれば、シャフト棒体８６の端面８２は、ヘッド部内部材７２に取り付けられている。この様態では、シャフト棒体８６及びヘッド部内部材７２は、互いに引張力及び押圧力を及ぼすことが出来る。シャフト棒体８６の操作は、ヘッド部内部材７２も開口部分２１を保持している支持要素７２の端部の方向へ変位させる。ヘッド部内部材７２或いはその下部スライド面６８は、当該操作によって外される、或いは、ロック解除される。その際、ヘッド部内部材７２はヘッド部バネの弾性力に対抗して変位される。ヘッド部内部材７２或いはその下部スライド面６８のロック解除によって、ヘッドクランプ要素５６もロック解除される。ヘッドクランプ要素５６は下部スライド面６８に沿ってより一層シャフト部４６の内側へスライドする。その際、開口部分２１へ及ぼされる内部圧は解放され、その結果プリフォーム１又は容器２を取り外すことが出来る。
【００７５】
シャフト棒体８６は、ヘッド部４８の反対側にある支持要素４４の端部からシャフト棒体８６へ圧力を及ぼすことによって、操作される。同様に、別にヘッド部４８の反対側にある支持要素４４の端部からシャフト内パイプ８８へ圧力を及ぼすことによって、シャフト内パイプ８８を操作することも可能である（図６、左側）。更に発展させた実施形態においては、シャフト内パイプ８８は、シャフト棒体８６によって作用を及ぼされる閾値ストロークを超えることによって操作され得て、当該閾値ストロークから、シャフト棒体８６はシャフト内パイプ８８内へ入り込んでいる。シャフト棒体８６がシャフト内パイプ８８へ入り込むことによって、シャフト内パイプ８８は、シャフト棒体８６を用いて操作される。この様態（図６、右側）では、相次いで、先ずはヘッドクランプ要素５６が、そして閾値ストロークを超える場合にはシャフトクランプ要素５８も、操作される或いはロック解除される。
【００７６】
シャフト内パイプ８８は、図示されている実施形態においては、円筒形状（中空円柱形状）で形成されている。シャフト内パイプ８８はシャフト棒体８６を取り囲んで延伸している、すなわち、シャフト棒体８６はシャフト内パイプ８８を貫通して延伸している。シャフト内パイプ８８はそのヘッド部４８に向かい合う端部にてタペット状の形状を有している。ヘッド部４８に向かい合う端部では、シャフト内パイプ８８は下部スライド面６８を有している。シャフト内パイプ８８の操作は、下部スライド面６８を、開口部分２１を保持する支持要素４４の端部の方向へ変位させる。下部スライド面６８はその操作により外される又はロック解除される。下部スライド面６８のロック解除によって、シャフトクランプ要素５４もロック解除される。シャフトクランプ要素５４は下部スライド面６８に沿って、より一層シャフト部４６の内側へスライドする。その際、ヘッド部４８の開口部分へ作用する内圧は解消され、その結果、ヘッド部４８を取り外すことが可能である。
【００７７】
図７はプリフォーム１の側面の２つの部分的な図面を示しており、当該プリフォーム１の開口部分２１内には支持要素４４が領域の一部に挿入されている。左側には、ヘッドクランプ要素５６もシャフトクランプ要素５４もロック解除されていない支持要素４４を図示している。従って、ヘッド部４８もプリフォーム１の開口部分２１も、支持要素４４に固定的に保持されている。右側には、シャフトクランプ要素５４がロック解除されている支持要素４４が図示されており、その結果、ヘッド部４８をプリフォーム１とともに支持要素４４の残りの部分から、すなわち特にはシャフト部分４６から、取り外すことが出来た。シャフト部５４のロック解除は、圧縮バネとして形成されるシャフト部バネ８０の弾性力に対抗してシャフト部内部材７６を操作することによって行われる。シャフト部内部材７６は、支持要素４４の長手軸９０に沿ってシャフト部バネを通り抜けて貫通して延伸している。
【００７８】
本発明について複数の実施例を用いて詳細に説明したが、本発明がそれらの実施例に限定されるものではなく、特許請求の範囲の保護範囲を逸脱しない限り、個々の特徴を取り除くことが出来る又は上述の個別の特徴の異なる組み合わせを実現出来る様態で、むしろ複数のバリエーションが可能であることは、当業者にとって自明である。提出された開示内容は、上述の個々の特徴の全ての組み合わせを含むものである。
【符号の説明】
【００７９】
１                プリフォーム
２                容器
３                ブローステーション
４                ブロー型（ブローモールド）
５                第１の割型
６                第２の割型
７                底部部分（ボトム部分）
８                リフト装置
９                搬送ロッド
１０              接続ピストン
１１              延伸ロッド
１２              シリンダ
１３              第１シリンダ
１４              底部
１５              キャリッジ
１６              第２シリンダ
１７              ガイドローラ
１８              ガイド要素
１９              第１の支持体
２０              第２の支持体
２１              開口部分
２２              雄ねじ部（ネジ取り付け部）
２３              容器の膨れ
２４              加熱区間
２５              ブローホイール
２６              プリフォーム供給部
２７              受け渡しホイール
２８              受け渡しホイール
２９              受け渡しホイール
３０              加熱装置、ヒータ
３０′            加熱装置
３１              ファン
３２              搬出区間
３３              搬送手段
３４              方向転換ホイール、ヘッドホイール
３５              受け渡しホイール
３６              方向転換ホイール
３７              受け渡しホイール、取り出しホイール
３８              受け渡しホイール、搬出ホイール
３９              冷却空気流路
４０              停止装置（ロック装置）
４２              搬送システム
４４              支持要素
４６              シャフト部
４８              ヘッド部
５０              ヘッド端部領域
５２              シャフト端部領域
５４              シャフトクランプ要素
５６              ヘッドクランプ要素
５８              凹部（ヘッド部）
６０              凹部（シャフト部）
６２              上部スライド面（ヘッド部）
６４              下部スライド面（ヘッド部）
６６              上部スライド面（シャフト部）
６８              下部スライド面（シャフト部）
７０              ヘッド上部
７２              ヘッド部内部材
７４              シャフト端部領域上部
７６              シャフト部内部材
７８              ヘッド部バネ
８０              シャフト部バネ
８２              端部面
８４              エンドプレート
８６              シャフト棒体
８８              シャフト内パイプ
９０              長手軸
【図１】
0006719028.tif 000002
【図２】
0006719028.tif 000003
【図３】
0006719028.tif 000004
【図４】
0006719028.tif 000005
【図５】
0006719028.tif 000006
【図６】
0006719028.tif 000007
【図７】
0006719028.tif 000008